(57)【要約】【課題】新たな構成を必要とすることなく低コストで車両の不正出庫が監視可能な駐車場監視システム、および駐車場監視方法を提供する。【解決手段】駐車場に駐車された車両を監視する駐車場監視システムであって、車両を撮像する撮像装置と、撮像装置が撮像した画像に基づいて、駐車エリアに駐車された車両の移動の有無を判定する映像判定部と、駐車エリアに駐車中の車両をロックするロック装置と、ロック装置が車両をロックした状態となっているか否かを判定する監視判定部と、監視判定部が、ロック装置が車両をロックした状態であると判定し、かつ映像判定部が、駐車エリアに駐車された車両が移動されたと判定した場合に、駐車中の車両が不正に出庫された旨を外部の通報先に通報する通報処理部と、を備える。【選択図】図２
2012003393.tif 000002
【特許請求の範囲】
【請求項１】
駐車場に駐車された車両を監視する駐車場監視システムであって、
前記車両を撮像する撮像装置と、
前記撮像装置が撮像した画像に基づいて、前記駐車エリアに駐車された前記車両の移動の有無を判定する映像判定部と、
前記駐車エリアに駐車中の前記車両をロックするロック装置と、
前記ロック装置が前記車両をロックした状態となっているか否かを判定する監視判定部と、
前記監視判定部が、前記ロック装置が前記車両をロックした状態であると判定し、かつ前記映像判定部が、前記駐車エリアに駐車された前記車両が移動されたと判定した場合に、駐車中の前記車両が不正に出庫された旨を外部の通報先に通報する通報処理部と、
を備えたことを特徴とする駐車場監視システム。
【請求項２】
前記駐車場は複数の前記駐車エリアを有し、
前記撮像装置は、複数の前記駐車エリアに駐車された前記車両を撮像し、
前記映像判定部は、前記撮像装置が撮像した画像に基づいて、いずれかの前記駐車エリアに駐車された前記車両ごとの移動の有無を判定し、
前記監視判定部は、前記駐車エリアのいずれかの前記ロック装置が前記車両をロックした状態となっているか否かを判定する、
ことを特徴とする請求項１に記載の駐車場監視システム。
【請求項３】
前記撮像装置が撮像した画像と、前記駐車エリアに駐車された前記車両を特定するための車両識別情報とを前記駐車エリアに対応付けて記憶する記憶部と、
前記撮像部は前記記憶部に前記画像を記憶させ、
前記監視判定部は、前記車両が前記駐車エリアに入庫された場合に、前記前記車両識別情報を前記画像から読み取り、読み取った前記車両識別情報を前記記憶部に記憶させ、
前記通報処理部は、前記駐車中の前記車両が不正に出庫された旨を通報するとともに、前記記憶部に記憶された前記画像と前記車両識別情報とを送信する、
ことを特徴とする請求項１または２に記載の駐車場監視システム。
【請求項４】
前記映像判定部は、前記撮像部が撮像した前記画像の中で、あらかじめ定められた領域を前記駐車エリアとして認識し、前記画像の中の前記領域内で前記車両の移動の有無を判定する、
ことを特徴とする請求項１〜３のいずれか１項に記載の駐車場監視システム。
【請求項５】
前記記憶部は、前記外部の通報先として電話番号またはメールアドレスを記憶し、
前記通報処理部は、前記記憶部に記憶された前記電話番号またはメールアドレスで示された通報先に、駐車中の前記車両が不正に出庫された旨を通報する、
ことを特徴とする請求項１〜４のいずれか１項に記載の駐車場監視システム。
【請求項６】
前記領域と前記外部の通報先との入力を受け付け、受け付けた前記前記領域と前記外部の通報先とを前記記憶部に登録させる登録用端末をさらに備える、
ことを特徴とする請求項４または５に記載の駐車場監視システム。
【請求項７】
駐車場に駐車された車両を監視し、前記車両を撮像する撮像装置と、前記駐車エリアに駐車中の前記車両をロックするロック装置とを備えた駐車場監視システムにおいて行われる駐車場監視方法であって、
前記撮像装置が撮像した画像に基づいて、前記駐車エリアに駐車された前記車両の移動の有無を判定する映像判定ステップと、
前記ロック装置が前記車両をロックした状態となっているか否かを判定する監視判定ステップと、
前記監視判定ステップにおいて、前記ロック装置が前記車両をロックした状態であると判定され、かつ前記映像判定ステップにおいて、前記駐車エリアに駐車された前記車両が移動されたと判定された場合に、駐車中の前記車両が不正に出庫された旨を外部の通報先に通報する通報処理ステップと、
を含むことを特徴とする駐車場監視方法。
【発明の詳細な説明】
【技術分野】
【０００１】
本発明は、無人駐車場の監視を行う駐車場監視システム、および駐車場監視方法に関する。
【背景技術】
【０００２】
近年、警備員や係員等の人員を現場に配置せず、ロック板等の駐車機と料金支払機とを組合せてこれらを使用し運営している無人駐車場が増えている。このような無人駐車場では、無人にて運営することにより、駐車場の運営コストを削減することが可能となっている。しかし、無人であるため、駐車料金を支払わず、ロック板を乗り越えて不正に出庫する利用者が存在する。不正出庫は駐車料金の不払いのみでなく、車両の盗難の場合もあり、これらの対策は、駐車場運営においては重要である。その対策として、様々な監視方法が考えられている。
【０００３】
従来の方法として、たとえば特許文献１では、不正出庫する車両を検出するシステムが開示されている。このシステムでは、ロック板に設置したセンサーにより不正出庫を検出する技術が開示されている。その検出時には、不正出庫を通報したり、不正出庫車両のナンバープレート情報を撮影する。また、特許文献２では、センサーを車載し、センサーにより駐車中に揺れを検出した場合に車両盗難と判定し、通報等を行う技術が開示されている。
【先行技術文献】
【特許文献】
【０００４】
【特許文献１】特開２００２−３６７０９４号広報
【特許文献２】特開２００７−２２３９７号広報
【発明の概要】
【発明が解決しようとする課題】
【０００５】
しかしながら、特許文献１に開示された技術では、既に営業を開始している駐車場では、ロック板の交換またはセンサーの追加が必要となる。また、新規に導入する場合でも、センサー設置の工事が必要であり、構成が複雑になると共に費用が嵩んでしまうという問題があった。また、特許文献２に開示された技術では、盗難を検出するためには、車両側に装置を搭載することが必要であり、監視装置を各車両に搭載した場合、車両の価格が高くなってしまうという問題があった。
【０００６】
本発明は、上記に鑑みてなされたものであって、新たな構成を必要とすることなく低コストで車両の不正出庫が監視可能な駐車場監視システム、および駐車場監視方法を提供することを目的とする。
【課題を解決するための手段】
【０００７】
上述した課題を解決し、目的を達成するために、本発明にかかる駐車場監視システムは、駐車場に駐車された車両を監視する駐車場監視システムであって、前記車両を撮像する撮像装置と、前記撮像装置が撮像した画像に基づいて、前記駐車エリアに駐車された前記車両の移動の有無を判定する映像判定部と、前記駐車エリアに駐車中の前記車両をロックするロック装置と、前記ロック装置が前記車両をロックした状態となっているか否かを判定する監視判定部と、前記監視判定部が、前記ロック装置が前記車両をロックした状態であると判定し、かつ前記映像判定部が、前記駐車エリアに駐車された前記車両が移動されたと判定した場合に、駐車中の前記車両が不正に出庫された旨を外部の通報先に通報する通報処理部と、を備えたことを特徴とする。
【０００８】
また、本発明は、上記駐車場監視システムで行われる駐車場監視方法である。
【発明の効果】
【０００９】
本発明によれば、新たな構成を必要とすることなく低コストで車両の不正出庫が監視可能な駐車場監視システム、および駐車場監視方法を提供することができる。
【図面の簡単な説明】
【００１０】
【図１】本実施の形態にかかる駐車場監視システムが監視対象とする無人駐車場の一例を示す図である。
【図２】駐車場監視システムの一実施例を示すブロック図である。
【図３Ａ】車両特定情報の構成例を示す図である。
【図３Ｂ】監視カメラが撮像する映像の画面と、移動検出する範囲との関係の例を示す図である。
【図４】通報情報に記憶されるデータの例を示す図である。
【図５】駐車場監視システムで行われる車両を監視し、車両の不正出庫を検出して通報するまでの処理手順を示すフローチャートである。
【発明を実施するための形態】
【００１１】
以下に添付図面を参照して、本発明にかかる駐車場監視システム、および駐車場監視方法の実施の形態を詳細に説明する。
【００１２】
図１は、本実施の形態にかかる駐車場監視システム１０００が監視対象とする無人駐車場の一例を示す図である。図1を用いて、駐車場監視システム１０００による無人駐車場への入庫と出庫についての処理の概要について説明する。
【００１３】
駐車場１０１は、複数の駐車エリア１０２を備え、各駐車エリア１０２には駐車機１０３が設置されている。駐車エリア１０２は、無人駐車場を利用するユーザが車両を駐車するためのエリアである。駐車機１０３は、車両の不正な出庫を防ぐためのロック板が上下する機構を有した装置である。駐車機１０３は、後述するように、ユーザが駐車エリア１０２に車両を駐車すると、駐車場監視システム１０００からの指示に応じて、一定時間後にロック板が上がる仕組みとなっている。また、ユーザが車両を出庫する場合は、ユーザが車両を駐車した駐車エリア１０２の駐車料金を支払うと駐車機１０３のロック板が下がり、車両が出庫可能な状態となる仕組みとなっている。
【００１４】
また、駐車場１０１の敷地内には監視カメラ１０４と料金支払機１０５と監視装置１０６とが設置されている。監視カメラ１０４は、複数の駐車エリア１０２を撮像するカメラである。以下では、監視カメラ１０４は、駐車場１０１に１台設置されている前提で説明しているが、駐車エリア１０２ごとに設置（例えば、図１に示した例では４台設置）することとしてもよい。料金支払機１０５は、ユーザが車両を駐車場１０１から出庫させる際に、利用料金を精算するための精算機である。また、監視装置１０６は、車両が不正に出庫された場合（例えば、利用料金が未清算のまま出庫された場合）に、警備会社等に通報する装置である。
【００１５】
図２は、駐車場監視システム１０００の一実施例を示すブロック図である。図２を用いて、本発明の実施の形態の概要を説明する。
【００１６】
監視装置１０６は、駐車機１０３と監視カメラ１０４と不正出庫を通報するためのネットワーク２０２に接続される。図２では特に示していないが、ネットワーク２０２は、警備会社が有するセンタ等に接続され、監視装置１０６からの通報を受けることが可能となっている。なお、本実施の形態では、ネットワーク２０２の具体的な構成については特に限定しない。例えば、ネットワーク２０２は、インターネットや電話回線等の一般的な公衆回線網でもよく、また、有線あるいは無線を問わない。さらに、インターネットと電話の２つを使用するなど、複数のネットワークに接続することも可能である。
【００１７】
図２に示すように、監視装置１０６は、監視判定部２０３と、映像判定部２０４と、通報処理部２０５と、車両特定情報蓄積部２０６と、通報情報蓄積部２０７と、を含んで構成される。また、監視装置１０６は、駐車機１０３と、監視カメラ１０４と、映像蓄積装置２０１と、登録用端末２０８とに接続されている。なお、以下では、監視カメラ１０４が撮像した映像を保持しない前提で説明しているが、例えば、警備会社等が過去に遡って撮像した映像を確認したい場合には、ＨＤＤ（Hard  Disk  Drive）等の記憶装置から構成される映像蓄積装置２０１に、撮像した映像を常時蓄積させることとしてもよい。
【００１８】
また、登録用端末２０８は、PC（Personal  Computer）等の情報処理装置であり、後述するように、駐車場システム１０００の管理者等が、監視カメラ１０４に駐車場１０１のどの範囲を監視させるか等の種々の監視条件や、監視条件に従って監視され、車両の不正出庫があったと判定された場合の警備会社等への種々の通報条件等を登録するものである。
【００１９】
まず、車両特定情報蓄積部２０６について説明する。車両特定情報蓄積部２０６は、ハードディスクドライブ（ＨＤＤ）やＵＳＢ（Universal  Serial  Bus）メモリなどの記憶媒体から構成され、駐車場１０１の駐車エリア１０２に駐車された車両を特定するための車両特定情報３０１を記憶するものである。
【００２０】
車両特定情報３０１は、監視判定部２０３や映像判定部２０４や通報処理部２０５、および登録用端末２０８から書込みや変更、参照が可能となっている。この機能部に保存する車両特定情報３０１を、図３を用いて説明する。
【００２１】
図３Ａは、車両特定情報３０１の構成例を示す図である。図３Ａに示すように、車両特定情報３０１は、駐車エリア番号３０２と、映像番号３０３と、映像監視箇所３０４と、入庫日時３０５と、入庫自画像３０６とを含んで構成され、これらが互いに対応付けられている。
【００２２】
駐車エリア番号３０２は、監視対象となる駐車場１０１の各駐車エリア１０２を特定するための識別情報である。駐車エリア１０２の数だけの車両特定情報３０１のレコードを準備する。図１に示したように、駐車場１０１は、４つの駐車エリア１０２を有しているため、図３Ａに示す車両特定情報３０１は、駐車エリア番号３０２が１〜４までのレコードを有している。
【００２３】
映像番号３０３は、各駐車エリア１０２における車両の移動を検出する際に、どの監視カメラ１０４の映像を使用するかを指定するための情報である。図１に示した駐車場１０１は、１台の監視カメラ１０４を有しているため、図３Ａに示す車両特定情報３０１の各レコードの映像番号３０３には、全て「カメラ１」が記憶されている。
【００２４】
映像監視箇所３０４は、監視カメラ１０４が撮像した映像の画面中に複数の駐車エリア１０２が含まれる場合に、その画面上のどの範囲で移動検出を行うかを指定する情報である。図１に示した駐車場１０１は、１台の監視カメラ１０４が、各駐車エリア１０２を監視している。従って、その範囲は、例えば、図３Ａに示す駐車エリア番号３０２が「１」で識別されるレコード３０８の映像監視箇所３０４は、Ｘ座標（ｘ１，ｙ１）〜（ｘ２，ｙ１）、Ｙ座標（ｘ１，ｙ２）〜（ｘ１，ｙ２）を各１辺とする矩形の範囲となる。
【００２５】
図３Ｂは、監視カメラ１０４が撮像する映像の画面と、移動検出する範囲との関係の例を示す図である。図３Ｂに示すように、監視カメラ１０４が撮像する映像の画面Ｒに対して、例えば、上述したレコードの映像監視箇所３０４は、斜線で示された（ｘ１，ｙ１）、（ｘ２，ｙ１）、（ｘ１，ｙ２）、（ｘ２，ｙ２）を頂点とする範囲となる。駐車エリア番号３０２が「２」〜「４」で識別されるレコード３０８〜３１１の映像監視箇所３０４についても、これと同様に定められている。
【００２６】
入庫日時３０５は、監視判定部２０３が車両の入庫を検出した際に設定される情報である。この入庫日時３０５は、後述するように、監視判定部２０３が不正出庫を検出した場合に、通報処理部２０５が通知する情報である。例えば、図３Ａに示す駐車エリア番号３０２が「１」で識別されるレコード３０８の入庫日時３０５は「２０２０／１／１  １３：００：００」であり、この時刻に車両が入庫されたことがわかる。
【００２７】
入庫時画像３０６は、入庫日時３０５と同様に、監視判定部２０３が入庫を検出した際設定される画像等の情報であり、後述するように、監視判定部２０３が不正出庫を検出した場合に、通報処理部２０５が通知する情報である。
【００２８】
ナンバープレート情報３０７は、不正出庫発生後において、不正に出庫された車両を特定するための情報であり、犯人を特定するために入庫時画像３０６から抽出する文字列情報である。例えば、図３Ａに示す駐車エリア番号３０２が「１」で識別されるレコード３０８のナンバープレート情報３０７は、「横浜９９  あ  １２３４」であり、この車両が駐車されていることがわかる。
【００２９】
図３Ａに示した例では、駐車エリア番号３０２が「１」で識別される駐車エリア１０２には車両が駐車されていないため、入庫日時３０５、入庫時画像３０６、ナンバープレート情報３０７は設定されていない。これらの駐車エリア番号３０２、映像番号３０３、映像監視箇所３０４は、駐車場監視システム１０００の管理者等によって、あらかじめ登録用端末２０７から登録されているものとする。
【００３０】
なお、図３Ａには特に示していないが、車両特定情報３０１に、不正出庫検出日時を追加して設定することも可能である。この場合、映像蓄積装置２０１に記憶された映像から、不正出庫検出時の映像の検索が容易となる。続いて、図２に戻り、通報情報蓄積部２０７について説明する。
【００３１】
通報情報蓄積部２０７は、車両の付勢出庫が検出された場合の通報先を記憶するものであり、ハードディスクドライブ（ＨＤＤ）やＵＳＢメモリなどの記憶媒体から構成される。通報情報４０１は、駐車場監視システム１０００の管理者等によって、あらかじめ登録用端末２０７から登録され、通報処理部２０６が参照する。この機能部に保存する通報情報４０１を、図４を用いて説明する。
【００３２】
図４は、通報情報４０１に記憶されるデータの例を示す図である。図４に示すように、通報情報４０１は、通報手段４０２と通報先４０３とを含んで構成される。図４では、通報情報蓄積部２０７に登録されているレコード４０４は、電子メールによる通報を行うための送信先のメールアドレスを記憶する場合の例を示している。また、レコード４０５は、電話にて通報するための電話番号を記憶する場合の例を示している。続いて、図２に示した各部の機能について説明する。
【００３３】
映像判定部２０４は、監視カメラ１０４が撮像した映像の画面から車両の移動を監視し、車両の移動を検出した場合は、その旨を監視判定部２０３に通知する。監視判定部２０３は、駐車機１０３から取得される各駐車エリア１０２の駐車状態を判定して車両の移動監視の実行有無を判定する。ここで、駐車状態の判定は、駐車機１０３のロック板等が上がっている状態を車両が駐車中であり、駐車機１０３のロック板等が下がっている状態を車両が駐車中ではないと判定する。また、監視判定部２０３は、車両入庫時に車両特定情報３０１を車両特定情報蓄積部２０６に保存する。
【００３４】
通報処理部２０５は、監視判定部２０３からの不正出庫検出の通知を受け、あらかじめ通報情報蓄積部２０７に登録された登録方法を用いて、通報先に通報する。このとき、通報と共に、特定車両情報蓄積部２０６に保存された情報を添付する。続いて、駐車場監視システム１０００で行われる車両の監視方法について説明する。
【００３５】
図５は、駐車場監視システム１０００で行われる車両を監視し、車両の不正出庫を検出して通報するまでの処理手順を示すフローチャートである。なお、図５に示す例では、駐車場監視システム１０００は、管理者等によってあらかじめシステム自体が稼動された状態であり、車両が駐車エリア１０２に入庫されたものとする。
【００３６】
図５に示すように、まず、映像判定部２０４は、監視カメラ１０４が動作しているか否かを判定し（ステップＳ５０１）、駐車場監視システム１０００ではなく、監視カメラ１０４が動作していないと判定した場合（ステップＳ５０１；Ｎｏ）、図５に示した処理を終了させる。以降、駐車場監視システム１０００は、稼動が停止されるまで、ステップＳ５０２〜Ｓ５０７までの各処理を繰り返し行い、車両を継続して監視している。
【００３７】
映像判定部２０４が、監視カメラ１０４が動作していると判定した場合（ステップＳ５０１；Ｙｅｓ）、車両特定情報蓄積部２０６に登録されたすべての駐車エリア１０２に対して、移動車両の監視（移動車両の有無）を開始する（ステップＳ５０２）。
【００３８】
そして、映像判定部２０４は、監視カメラ１０４が撮像した映像の画面から移動車両を検出したか否かを判定し（ステップＳ５０３）、監視カメラ１０４が撮像した映像の画面から移動車両を検出していないと判定した場合（ステップＳ５０３；Ｎｏ）、ステップＳ５０１に戻る。映像判定部２０４が画面から移動車両を検出する技術については、従来から知られている種々の技術を適用することができる。
【００３９】
一方、映像判定部２０４は、監視カメラ１０４が撮像した映像の画面から移動車両を検出したと判定した場合（ステップＳ５０３；Ｙｅｓ）、移動車両をどの駐車エリア１０２で検出したか（例えば、図３Ｂに示した斜線で示したエリアで移動車両を検出した場合には、駐車エリア番号３０２「１」）を監視判定部２０３に通知し、ステップＳ５０３に進む。
【００４０】
ステップＳ５０３では、監視判定部２０２は、映像判定部２０４から受け付けた駐車エリア番号３０２で特定される駐車エリア１０２の駐車機１０３のロック板の状態を取得し（ステップＳ５０４）、その駐車エリア１０２に車両が駐車中であるか否かを判定する（ステップＳ５０５）。
【００４１】
このとき、監視判定部２０３は、監視カメラ１０４が撮像した映像の画面と、その画面に含まれる車両のナンバープレートを読み取り、通知された駐車エリア１０２に対応する車両特定情報３０１の入庫時画像３０６、ナンバープレート情報３０７にこれらをそれぞれ記憶させる。本実施の形態では、ステップＳ５０５を行うタイミングでこれらの情報を車両特定情報３０１に記憶させているが、車両が入庫されたタイミングでこれらの情報を車両特定情報３０１に記憶させることとしてもよい。
【００４２】
そして、監視判定部２０２は、その駐車エリア１０２に車両が駐車中であると判定した場合（ステップＳ５０５；Ｙｅｓ）、監視判定部２０３は、その駐車エリア１０２に駐車されていた車両が不正出庫されたと判定してその旨および不正出庫が検出された駐車エリア１０２を検出し（ステップＳ５０６）、通報処理部２０５が、通報情報蓄積部２０７に登録された通報先（メールアドレス、電話番号等）に、その旨および不正出庫が検出された駐車エリア１０２を通報する（ステップＳ５０７）。このとき、通報処理部２０５は、メールで通報する場合には、不正出庫された駐車エリア１０２の駐車エリア番号をキーとして、図３Ａに示した車両特定情報３０１のレコードに含まれる種々の情報（例えば、入庫日時や入庫時画像）を添付してもよい。
【００４３】
一方、監視判定部２０２は、その駐車エリア１０２に車両が駐車中でないと判定した場合（ステップＳ５０５；Ｎｏ）、ステップＳ５０１に戻る。ステップＳ５０７の処理が終了すると、図５に示した全ての処理が終了する。このように、駐車場監視システム１０００は、ステップＳ５０１〜Ｓ５０７までの各処理を繰り返し継続して行っている。なお、車両特定情報蓄積部２０６に不正出庫発生日時を保存する場合は、ステップＳ５０６において車両の不正出庫が検出された時点の時刻を保存させることが望ましい。
【００４４】
なお、駐車場監視システム１０００の管理者や警備会社等が、上述したメールを受信できない場合は、音声による電話での通知も可能である。この場合、通報処理部２０５が電話での音声による不正出庫発生の通知を行う。このような音声による通報は、従来から知られている種々の音声合成技術を用い、不正出庫の発生と発生日時を伝達することも可能である。
【００４５】
このように、駐車場に駐車された車両を監視する駐車場監視システム１０００において、監視カメラ１０４が、車両を撮像し、映像判定部２０４が、監視カメラ１０４が撮像した画像に基づいて、駐車エリア１０２に駐車された車両の移動の有無を判定し、駐車機１０３が、駐車エリア１０２に駐車中の車両をロックし、監視判定部２０３が、駐車機１０３が車両をロックした状態となっているか否かを判定し、通報処理部２０５が、監視判定部２０３が、駐車機１０３が車両をロックした状態であると判定し、かつ映像判定部２０４が、駐車エリア１０２に駐車された車両が移動されたと判定した場合に、駐車中の車両が不正に出庫された旨を外部の通報先に通報するので、新たな構成を必要とすることなく低コストで車両の不正出庫が監視可能となる。すなわち、上記の実施形態によれば、不正出庫を検出専用のセンサーの追加や、各車両に車載装置を搭載することなく、不正出庫を監視することができる。
【００４６】
従って、駐車場監視システムや駐車場の管理者等は、車両の不正出庫を監視するに当たり、監視システムの導入時には、ロック板へのセンサー追加などの工事が不要となり、導入コストを抑えることができる。また、センサーの追加が不要であるため、維持管理のためのメンテナンス費用を抑えることができる。
【００４７】
さらに、各車両に監視装置を搭載することは不要であるため、すべての駐車車両の監視を行うことができ、サービスの向上が見込まれる。あわせて、近年では無人駐車場に監視カメラが既に導入済みであることが多く、このカメラを流用することにより、監視システムの導入費用がさらに低くできることが期待できる。
【００４８】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００４９】
１０００…駐車場監視システム、１０１…駐車場、１０２…駐車エリア、１０３…駐車機、１０４…監視カメラ、１０５…料金支払機、１０６…監視装置、２０１…映像蓄積装置、２０２…ネットワーク、２０３…監視判定部、２０４…映像判定部、２０５…通報処理部、２０６…車両特定情報蓄積部、２０７…通報情報蓄積部、２０８…登録用端末。
【図１】
2012003393.tif 000003
【図２】
2012003393.tif 000004
【図３Ａ】
2012003393.tif 000005
【図３Ｂ】
2012003393.tif 000006
【図４】
2012003393.tif 000007
【図５】
2012003393.tif 000008